(57)【特許請求の範囲】
【請求項１】
所定の画像データおよび前記画像データに対する画像再生指示データが予め所定数記録された記録媒体と、
前記記録媒体に記録される画像データのうち、前記画像再生指示データに基づいていずれかの画像データを選択して読み取る読取り手段と、
複数の前記画像再生指示データに基づき読み出される複数の画像データに基づいてレイアウトを伴う出力データを作成する作成手段と、
前記作成手段により作成される前記出力データを出力する出力手段とを有し、
前記出力手段は、前記記録媒体に記録されている複数の画像データのうち、前記画像再生指示データによって再生指示されている画像をレイアウトすると共に、各画像について前記画像再生指示データで指示される出力枚数情報を合成したフォームシートを出力することを特徴とする画像処理装置。
【請求項２】
前記画像再生指示データは、画像データを指定する番号又は名称により構成されていることを特徴とする請求項１に記載の画像処理装置。
【請求項３】
複数の前記画像指示データがまとまって再生指示ファイルとして記録されていることを特徴とする請求項１または２のいずれかに記載の画像処理装置。
【請求項４】
所定の画像データおよび前記画像データに対する画像再生指示データが予め所定数記録された記録媒体にアクセス可能な画像処理装置のデータ処理方法であって、
前記記録媒体に記録される画像データのうち、前記画像再生指示データに基づいていずれかの画像データを選択して読み取る読取りステップと、
複数の前記画像再生指示データに基づき読み出される複数の画像データに基づいてレイアウトを伴う出力データを作成する作成ステップと、
前記作成ステップにより作成される前記出力データを出力する出力ステップとを有し、
前記出力ステップは、前記記録媒体に記録されている複数の画像データのうち、前記画像再生指示データによって再生指示されている画像をレイアウトすると共に、各画像について前記画像再生指示データで指示される出力枚数情報を合成したフォームシートを出力することを特徴とする画像処理装置のデータ処理方法。
【請求項５】
請求項４に記載の画像処理装置のデータ処理方法をコンピュータに実行させるためのプログラムを記録したことを特徴とするコンピュータが読み取り可能な記憶媒体。
【発明の詳細な説明】
【０００１】
【発明の属する技術分野】
本発明は、記録媒体に記録された画像データに対する再生出力処理を制御する画像処理装置および画像処理装置のデータ処理方法およびコンピュータが読み出し可能なプログラムを格納した記憶媒体に関するものである。
【０００２】
【従来の技術】
従来、手持ちの画像データ、例えば写真フィルムの各コマ画像を再生する一般的な方法として、写真の焼き増しサービスがある。
【０００３】
この焼き増しサービスは、現像されたフィルムが収納される半透明のネガカバー（ネガホルダー）に焼き増し枚数や印を記入して、現像所等に持ち込むことにより、現像所等では、再生する（焼き増しする）画像を特定して、所望の画像を焼き増しすることにより行われる。
【０００４】
また、最近、フィルム上の画像を読み取り、読み取った画像データをＣＤ−ＲＯＭに書き込み、このＣＤ−ＲＯＭから画像データを読み出して、ディスプレー等の画像表示装置に再生表示するフォトＣＤシステムがある。
【０００５】
このようなフォトＣＤシステムでは、コンピュータシステムにて、ＣＤ−ＲＯＭ上に記録された画像データを読み出して、高画質プリンタで出力することにより、プリント画像を得ることができるように構成されている。
【０００６】
一方、このような高画質プリンタは高価であり、個人が所有することは困難であるため、プリント画像を得ることは現像所等にプリントサービスを依頼して行われるのが普通である。
【０００７】
依頼の方法としては、ＣＤ−ＲＯＭと該ＣＤ−ＲＯＭに記録されている画像データを特定する為の情報（例えば、インデックスプリント等で確認される画像番号等）を書いたメモを渡す方法が一般的である。
【０００８】
更に、コンピュータ技術の向上及びパーソナルコンピュータの普及、デジタルカメラ等の画像入力装置の普及にともなって、気軽に高精細のデジタル画像データを、個人が扱うことが可能になった。
【０００９】
これらの画像データは、例えばＴＩＦＦ，ＰＩＣＴ，ＪＰＥＧ及びＲＡＷ等の種々の画像ファイルフォーマットで、所定の情報記録媒体に記録される。このような画像データは、通常は、個人の所有するコンピュータに接続するプリンタで出力される。
【００１０】
しかしながら、個人の所有するプリンタでは、画像表現処理能力の制限から満足のいくプリントが出来ないことがある。
【００１１】
そこで、より高画質なプリントを得たいという要求に応えるために、情報記録媒体に記録された画像データを高性能のプリンタで出力再生するプリントサービスが、現像所や写真店、ＤＰＥショップあるいはパソコンショップで受けられる。
【００１２】
このようなサービスを受けるためには、プリントサービスを行ってくれる所に画像データを渡してプリントを依頼しなければならない。一方、通信回線を介して画像データを送り、プリントを依頼することも最近可能であるが、通常は画像データを記録した情報記録媒体を、サービス先に渡してあるいは持ち込んでサービスを受けるのが一般的である。
【００１３】
このような画像プリントのサービスを受ける場合、情報記録媒体に記録されている画像データの中から所望の画像を指示することが必要となる。この為、プリントサービスを受ける客は、情報記録媒体に記録されている画像データの中の所望の画像を指示するべく、画像に記されている番号や名称を、メモ等により画像プリントサービス先に伝えることが必要である。
【００１４】
一方、画像プリントサービス先では、プリントサービスを依頼する客から指示された番号や名称をもとに、情報記録媒体に記録されている画像データの中から、客の所望する画像を選定して、プリントすることが必要となる。
【００１５】
一般に、上記のようなプリントサービスを行う為のコンピュータシステムは、煩雑な操作が必要である。従って、一般の店員が、プリントする画像を選択しプリントを実行することは、容易にはできなかった。
【００１６】
また、情報記録媒体に記録されている画像データの中から、所望の画像を選択することが必要である為、実際にプリントする為には人手を要し、プリントに要する時間が制限されるという問題があった。
【００１７】
このような問題を解決するために、画像データと、当該画像データの再生の有無を指示する画像再生指示データとを情報記録媒体に記録し、この情報記録媒体に記録された画像データを再生する際に、該情報記録媒体に記録された画像データと画像再生指示データに基づいて記録データの中から、意図する画像データを情報記録媒体から読み込み、再生の為の再生出力データを出力するシステムを用いると客が画像データおよび画像再生指示データの記録された記録媒体をプリントサービスに持ち込むだけで、メモ等によるプリントアウト画像の指示を必要としないで、プリントサービスを受けることができるようになる。
【００１８】
【発明が解決しようとする課題】
しかしながら、客の勘違い等により記録媒体内に指示したかった画像とは異なる画像をプリントするよう画像再生指示データを記録媒体に登録してしまった場合には、誤った画像がプリントアウトされてしまったり、画像は正しいがプリント枚数が誤ってしまうなどの問題が発生し得る。
【００１９】
また、上記画像再生指示データが誤っていた場合でもプリントされた後でしか判明しないため、プリントが無駄になることがあり、その場合は、再プリントを行う必要があり、コスト、時間がさらにかかってしまっていた。
【００２０】
さらに、客が記録媒体を持ち込んだ段階では、プリントするように指示した画像を直接確認することができず、画像再生指示データが改ざんされて枚数が過剰に指定されたとしてもそれを追求することができないという問題点があった。
【００２１】
本発明は、上記の問題点を解決するためになされたもので、画像データ以外に各画像データに対して再生させたい画像再生指示データが予め記録されているので、記録媒体に記録されている画像データのうち、該画像再生指示データに従って記録媒体に記録された画像データ中からユーザが意図する画像データを選択して再生出力させる指示負担を軽減しつつ、誤りなく意図する部数の再生画像を効率よく得ることができるとともに、再生指示している画像データの内容を画像再生前に、事前確認するレイアウト画像を出力でき、さらに、再生指示内容の謀認等を容易に判定して再生指示内容を修正することができ、画像処理出カサービス業務における依頼者とサービス提供者との負担を軽減しつつ、指示誤認に基づく不慮の再生画像処理サービスを回避することができる画像処理装置および画像処理装置のデータ処理方法およびコンピュータが読み出し可能なプログラムを記憶した記憶媒体を提供することである。
【００２３】
【課題を解決するための手段】
本発明は、  所定の画像データおよび前記画像データに対する画像再生指示データが予め所定数記録された記録媒体と、前記記録媒体に記録される画像データのうち、前記画像再生指示データに基づいていずれかの画像データを選択して読み取る読取り手段と、複数の前記画像再生指示データに基づき読み出される複数の画像データに基づいてレイアウトを伴う出力データを作成する作成手段と、前記作成手段により作成される前記出力データを出力する出力手段とを有し、前記出力手段は、前記記録媒体に記録されている複数の画像データのうち、前記画像再生指示データによって再生指示されている画像をレイアウトすると共に、各画像について前記画像再生指示データで指示される出力枚数情報を合成したフォームシートを出力することを特徴とする。
【００２７】
また、本発明は、所定の画像データおよび前記画像データに対する画像再生指示データが予め所定数記録された記録媒体にアクセス可能な画像処理装置のデータ処理方法であって、前記記録媒体に記録される画像データのうち、前記画像再生指示データに基づいていずれかの画像データを選択して読み取る読取りステップと、複数の前記画像再生指示データに基づき読み出される複数の画像データに基づいてレイアウトを伴う出力データを作成する作成ステップと、前記作成ステップにより作成される前記出力データを出力する出力ステップとを有し、前記出力ステップは、前記記録媒体に記録されている複数の画像データのうち、前記画像再生指示データによって再生指示されている画像をレイアウトすると共に、各画像について前記画像再生指示データで指示される出力枚数情報を合成したフォームシートを出力することを特徴とする。
【００３０】
【発明の実施の形態】
〔第１実施形態〕
図１は、本発明の第１実施形態を示す画像処理システムの一例を示すブロック図であり、記録媒体１と、プリントオーダフォーム作成装置２と、出力装置３とから構成されている。なお、プリントオーダフォーム作成装置２は、汎用ＯＳ（ＷＩＮＤＯＷＳ９５（商品名）等でデータ処理を行うパーソナルコンピュータで構成されていてもよく、その際には、ハードディスク等の記憶装置に記憶されたアプリケーションプログラムに基づいて外部装置（記憶媒体読取り装置）を介して記録媒体１に記録された画像データ５，画像再生指示データ４とを読み取り、アプリケーションプログラムに基づいて図示しないＣＰＵがメモリを介して信号処理，レイアウト処理を行う構成となる。
【００３１】
図において、記録媒体１は、例えばフロッピーディスク，ＭＯ，ＣＤ−Ｒ，Ｚｉｐ（商品名），フラッシュメモリを含むメモリカード等で構成される記録媒体で、画像再生指示データ４および画像データ５が所定のフォーマットで記録されている。なお、記録媒体１は、図示しないメディア装置にセットされ、デジタルカメラで撮像された画像データ，スキャナが読み取った画像データ，パソコンで動作するアプリケーションで生成された画像データ等が書き込まれるものとする。
【００３２】
プリントオーダフォーム作成装置２において、６は指示画像読取り手段で、画像再生指示データ４の情報に基づいて画像データ５の中から再生指示された画像データを選択的に読み出す。
【００３３】
７は信号処理手段で、読み出した画像データ５に間引き処理やモノクロ化処理等を行い、後述するレイアウト処理に備えて最適なデータに加工する。８はレイアウト処理手段で、信号処理手段７で加工された画像データおよび画像再生指示データを構成する画像番号あるいは名称、また、プリント枚数等の情報を見やすくレイアウトする。そして、レイアウトされたプリントオーダフォーム画像が出力装置３によってプリントアウトされる。
【００３４】
なお、上記記録媒体１には、画像データ５および画像再生指示データ４が図２に示すデータ構造で記録されているものとする。
【００３５】
図２は、図１に示した画像データ５および画像再生指示データ４のデータ構造の一例を示す図であり、図１と同一のものには同一の符号を付してある。
【００３６】
図において、記録媒体１は、予約領域１１，ＦＡＴ領域１２，ルートディレクトリ領域１３，画像再生指示データ４，画像データ５等を格納する各領域より構成されている。
【００３７】
なお、画像データ５の記録方法はＪＰＥＧ，ＴＩＦＦなど一般的に用いられているものでよい。また、画像再生指示データ４は、プリントオーダフォーム作成装置２の指示画像読取り手段６によって可読のフォーマットで記録される必要があり、例えば図３に示すフォーマットで記述される内容としている。
【００３８】
図３は、図１に示した画像再生指示データ４のフォーマットを示す図であり、指示画像読取り手段６によって可読のフォーマットで記述されている。
【００３９】
図において、「＜ＩＭＧ  ＳＲＣ＝「ＸＸＸ」」によってデータ「ＸＸＸ」を画像再生指示している。また、ＣＩＦＦ＿ＰＲＩＮＴ＿ＣＯＵＮＴ＝２によって直前の画像データ「Ａ００．ＪＰＧ」を２枚出力するよう指示している。
【００４０】
この記述がない場合は１枚の出力を表すが、ＣＩＦＦ＿ＰＲＩＮＴ＿ＣＯＵＮＴ＝１と記述してもよい。画像再生指示データ４には、プリントアウトする画像データの番号あるいは名称および出力枚数が最低限記録されている。
【００４１】
以下、本実施形態の特徴的構成について図１等を参照して説明する。
【００４２】
上記のように構成された画像処理装置において、所定の画像データおよび前記画像データ５に対する画像再生指示データ４が所定数記録された記録媒体１と、前記記録媒体１から前記画像再生指示データ４に基づいていずれかの画像データを選択して読み取る読取り手段（指示画像読取り手段６）と、前記読取り手段により選択的に読み出される各画像データに対して前記画像再生指示データ４に基づいてレイアウトを伴う出力データを作成する作成手段（信号処理手段７，レイアウト処理手段８）と、前記作成手段により作成される前記出力データに基づいて前記記録媒体１中から出力すべき画像データの指示を確認するフォームシートを出力する出力手段（出力装置３）とを有するので、記録媒体内に記録された画像データ中で、ユーザが再生させたい画像再生指示情報が同一の記録媒体に記録されており、画像再生指示情報に基づく画像データの再生候補群をフォームシートとして画像出力でき、画像データの再生指示内容を事前に確認することができ、指示内容の誤認を容易に判定することができる。また、フォームシートと画像再生された内容を随時照合することができるため、画像再生依頼者と画像再生処理者とが異なる画像処理環境の下で、双方の指示の誤認や改ざんを防止して、最良の画像再生サービスを展開することできる。
【００４３】
また、所定の画像データ５および前記画像データに対する画像再生指示データ４が所定数記録された記録媒体１と、前記記録媒体１から前記画像再生指示データ４に基づいていずれかの画像データを選択して読み取る読取り手段（指示画像読取り手段６）と、前記読取り手段により選択的に読み出される各画像データに対して前記画像再生指示データ４に基づいてレイアウトを伴う出力データを作成する作成手段（信号処理手段７，レイアウト処理手段８）と、前記作成手段により作成される前記出力データを出力する出力手段（出力装置３）とを有するので、記録媒体１内に記録された画像データ５中で、ユーザが再生させたい画像再生指示情報が同一の記録媒体に記録されているため、画像再生依頼者による画像再生処理者に対する再生画像指示負担を軽減することができる。
【００４４】
また、画像再生処理者（サービス提供者）は、記録媒体１を画像再生依頼者より預かり記録媒体１中に記録されている画像データ５中から意図する画像データを効率よく読み出して必要部数分の再生画像を効率よく得ることができる。
【００４５】
さらに、前記記録媒体１は、携帯移動可能な記憶媒体（例えばＦＤ，メモリカード，ＣＤ等を含む）で構成したので、画像再生依頼者が画像データが記録された記録媒体を出力装置を備える画像処理サービスショップに容易に持ち込むことができる。
【００４６】
また、前記記録媒体１は、デジタルカメラに装着自在に構成したので、デジタルカメラで撮像した複数の画像データ中で検討されている意図する画像データのみを再生指示することができる。
【００４７】
次に、プリントオーダフォーム作成処理手順について図４に示すフローチャートを参照して説明する。
【００４８】
図４は、本発明に係る画像処理装置におけるデータ処理手順の一例を示すフローチャートである。なお、（１）〜（１０）は各ステップを示す。
【００４９】
まず、プリントオーダフォーム作成装置２に画像再生指示データ４および画像データ５が記録された記録媒体１をセットする（１）。次に、プリントオーダフォーム作成装置２内の指示画像読取り手段６によって、画像再生指示データ４に記録されている画像データ５の番号あるいは名称および出力枚数をすべて読み取り（２）、それにしたがって、出力画像サイズや画像・文字情報の配置を決定する（３）。なお、配置の決定の仕方は任意であるが、例えば、図５に示すように、例えば定型サイズの用紙１枚の紙に収まるようにする。ただし、あらかじめ出力画像サイズや配置などを決定しておいてもよく、その場合には、図４に示すステップ（３）は不要となる。
【００５０】
ここで、図５を参照して、プリントオーダ確認書の一例について説明する。
【００５１】
図５は、図１に示したプリントオーダフォーム作成装置２で作成されて出力装置３で出力されるプリントオーダ確認書の一例を示す図である。
【００５２】
図において、Ｌ１〜Ｌ７はレイアウト画像で、信号処理手段７により信号処理され、かつレイアウト処理手段８により適切な位置にレイアウトされて出力される。なお、プリントオーダ確認書には、付加情報として、日付ＰＦ−１，時間ＰＦ−２，人名ＰＦ−３，店名ＰＦ−４，出力枚数ＰＦ−５を加えることは任意である。また、各レイアウト画像Ｌ１〜Ｌ７の下部の情報は、当該画像データに付加されている画像データの番号あるいは名称および出力枚数である。
【００５３】
次に、ステップ（２）で読み取った画像再生指示データ４の画像データ名に基づいて画像データ５中のいずれか１つの画像を記録媒体１から読み出す（４）。そして、その画像データをステップ（５）で決定された画像サイズになるよう拡大補間処理あるいは縮小間引き処理（画像の拡大／縮小処理）を行う。
【００５４】
次に、出力装置３がモノクロプリンタの場合には画像のカラー情報を破棄し、画像データをモノクロ化する（６）。そして、上記加工したデータを出力用の画像データとしてメモリ上に残しておく（７）。
【００５５】
次に、画像再生指示データ４の画像データ全てを読み込んだかどうかを判断し（８）、全てを読み込んでいないと判断した場合には、ステップ（４）に戻り、全てを読み込んでいると判定した場合は、ステップ（５）で決定された配置のようにレイアウト処理手段８が実際に画像および文字情報をレイアウトして（９）、出力用のデータを作成する。
【００５６】
その際、図５に示したように、プリントオーダフォームを出力した日付ＰＦ−１，時間ＰＦ−２，人名ＰＦ−３，店名ＰＦ−４，出力枚数ＰＦ−５等を適宜付加して出力してもよい。
【００５７】
そして、以上のような信号処理およびレイアウト処理を経て得られた情報を出力装置３に出力し（１０）、処理を終了する。
【００５８】
これにより、記録媒体１に記憶された画像再生指示データ４に基づく画像データ５のプリントオーダ確認書を容易に印刷して、その記憶媒体１に対する指示内容を記録媒体１の依頼者および記録媒体１の印刷処理をサービスする業者との双方が確認することができる。
【００５９】
以下、本実施形態の特徴的構成について図４等を参照してさらに説明する。
【００６０】
上記のように構成された所定の画像データ５および前記画像データ５に対する画像再生指示データ４が所定数記録された記録媒体１にアクセス可能な画像処理装置のデータ処理方法であって、あるいは所定の画像データ５および前記画像データ５に対する画像再生指示データ４が所定数記録された記録媒体にアクセス可能な画像処理装置を制御するコンピュータが読み出し可能なプログラムを格納した記憶媒体であって、前記記録媒体から前記画像再生指示データ４に基づいていずれかの画像データを選択して読み取る読取り工程（図４のステップ（１），（２））と、前記読取り工程により選択的に読み出される各画像データに対して前記画像再生指示データ４に基づいてレイアウトを伴う出力データを作成する作成工程（図４のステップ（３）〜（９））と、前記作成工程により作成される前記出力データに基づいて前記記録媒体１中から出力すべき画像データの指示を確認するフォームシートを出力する出力工程（図４のステップ（１０））とを有するので、記録媒体内に記録された画像データ中で、ユーザが再生させたい画像再生指示情報が同一の記録媒体に記録されており、画像再生指示情報に基づく画像データの再生候補群をフォームシートとして画像出力でき、画像データの再生指示内容を事前に確認することができ、指示内容の誤認を容易に判定することができる。また、フォームシートと画像再生された内容を随時照合することができるため、画像再生依頼者と画像再生処理者とが異なる画像処理環境の下で、双方の指示の誤認や改ざんを防止して、最良の画像再生サービスを展開することできる。
【００６１】
また、所定の画像データ５および前記画像データ５に対する画像再生指示データ４が所定数記録された記録媒体１にアクセス可能な画像処理装置のデータ処理方法であって、あるいは所定の画像データ５および前記画像データ５に対する画像再生指示データ４が所定数記録された記録媒体１にアクセス可能な画像処理装置を制御するコンピュータが読み出し可能なプログラムを格納した記憶媒体であって、前記記録媒体から前記画像再生指示データ４に基づいていずれかの画像データを選択して読み取る読取り工程（図４のステップ（１），（２））と、前記読取り工程により選択的に読み出される各画像データに対して前記画像再生指示データに基づいてレイアウトを伴う出力画像データを作成する作成工程（図４のステップ（３）〜（９））と、前記作成工程により作成される前記出力画像データをレイアウトして出力する出力工程（図４のステップ（１０））とを有するので、画像再生処理者は、記録媒体１を画像再生依頼者より預かり記録媒体１中に記録されている画像データ中から意図する画像データを効率よく読み出して必要部数分の再生画像を効率よく得ることができる。
【００６２】
〔第２実施形態〕
以下、上記システムを利用する実施形態について説明する。
【００６３】
例えばプリントオーダフォーム作成装置２および出力装置３をプリントサービス会社が保有する。そして、画像再生指示データ４および画像データ５が記録された記録媒体１を客が上記システムを備えるプリントサービス会社に持ち込み、高画質プリントを依頼する。
【００６４】
この時点で、プリントサービス会社はプリントオーダフォーム作成装置２および出力装置３を用いて、プリントオーダフォーム（プリントオーダ確認書）を作成する。これを客に手渡すことで、客は自分が持ち込んだ記録媒体１の内容が確認でき、誤りがあればその時点で修正することが可能である。
【００６５】
また、プリントオーダフォームが契約書そのものにもなり得るので、万一プリントサービス会社が記録媒体１上の画像再生指示データ４を故意に書き換えて、あるいは、誤って別の画像を高画質プリントをしたとしても、客がプリントオーダフォームを提示するだけで、誤りを指摘することが可能である。
【００６６】
以下、図６に示すメモリマップを参照して本発明に係る画像処理システムで読み出し可能なデータ処理プログラムの構成について説明する。
【００６７】
図６は、本発明に係る画像処理システムを適用可能な印刷システムで読み出し可能な各種データ処理プログラムを格納する記憶媒体のメモリマップを説明する図である。
【００６８】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【００６９】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【００７０】
本実施形態における図４に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【００７１】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【００７２】
この場合、記憶媒体から読み出されたプログラムコード自体が本発明の新規な機能を実現することになり、そのプログラムコードを記憶した記憶媒体は本発明を構成することになる。
【００７３】
プログラムコードを供給するための記憶媒体としては、例えば、フロッピーディスク，ハードディスク，光ディスク，光磁気ディスク，ＣＤ−ＲＯＭ，ＣＤ−Ｒ，磁気テープ，不揮発性のメモリカード，ＲＯＭ，ＥＥＰＲＯＭ等を用いることができる。
【００７４】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００７５】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００７６】
上記各実施形態によれば、画像データおよび画像再生指示データが記録された記録媒体から画像再生指示データを読み取り、再生指示された全ての画像データについて、適当な間引き処理を行ったり、色情報を落としてモノクロデータにするなどし、それらを適当にレイアウトして画像の番号や名称、プリントアウト枚数なども必要に応じて付加して再生指示データ情報をプリントオーダフォームとして出力することができる。従って、高画質プリントを行う前に再生指示データ情報をプリントオーダフォームとしてプリントアウトするため、希望の画像や枚数が正しく指定されているかを高画質プリントを行う前に確認することができる。
【００７７】
また、その後画像再生指示データが改ざんされた場合でも、プリントアウトされた再生指示データと高画質プリントされた画像とを照合することにより、画像再生指示データの改ざんを指摘することができる。
【００７８】
また、高画質プリント後においても当初の画像再生指示データとプリントアウトしたデータに違いがある場合に、それを指摘することができる。
【００７９】
【発明の効果】
以上説明したように、本発明によれば、画像データ以外に各画像データに対して再生させたい画像再生指示データが予め記録されているので、記録媒体に記録されている画像データのうち、該画像再生指示データに従って記録媒体に記録された画像データ中からユーザが意図する画像データを選択して再生出力させる指示負担を軽減しつつ、誤りなく意図する部数の再生画像を効率よく得ることができるとともに、再生指示している画像データの内容を画像再生前に、事前確認するレイアウト画像を出力でき、さらに、再生指示内容の謀認等を容易に判定して再生指示内容を修正することができ、画像処理出カサービス業務における依頼者とサービス提供者との負担を軽減しつつ、指示誤認に基づく不慮の再生画像処理サービスを回避することができる等の効果を奏する。
【図面の簡単な説明】
【図１】本発明の第１実施形態を示す画像処理システムの一例を示すブロック図である。
【図２】図１に示した画像データおよび画像再生指示データのデータ構造の一例を示す図である。
【図３】図１に示した画像再生指示データのフォーマットを示す図である。
【図４】本発明に係る画像処理装置におけるデータ処理手順の一例を示すフローチャートである。
【図５】図１に示したプリントオーダフォーム作成装置で作成されて出力装置で出力されるプリントオーダ確認書の一例を示す図である。
【図６】本発明に係る画像処理システムを適用可能な印刷システムで読み出し可能な各種データ処理プログラムを格納する記憶媒体のメモリマップを説明する図である。
【符号の説明】
１  記録媒体
２  プリントオーダフォーム作成装置
３  出力装置
４  画像再生指示データ
５  画像データ
６  指示画像読取り手段
７  信号処理手段
８  レイアウト処理手段
【図１】
0004266397.tif 000002
【図２】
0004266397.tif 000003
【図３】
0004266397.tif 000004
【図４】
0004266397.tif 000005
【図５】
0004266397.tif 000006
【図６】
0004266397.tif 000007